(57)【要約】【課題】寝台に対するマットレスの水平方向の変位を確実に規制することができる寝台装置を提供する。【解決手段】寝台と、マットレスずれ止め具と、を有する寝台装置において、寝台は、回動自在な背ボトムと、足ボトムと、を備え、マットレスずれ止め具は、足ボトムに設けられ、寝台の長手方向のマットレスの変位を規制する長手規制部と、寝台の短手方向のマットレスの変位を規制する短手規制部と、を備え、長手規制部の短手方向に沿う長さは前手規制部の長手方向に沿う長さより長く、寝台装置の背ボトムが背上げ状態になった時に、マットレスずれ止め具が前記寝台上のマットレスの変位を規制する。【選択図】図１
2020022862.tif 000002
【特許請求の範囲】
【請求項１】
寝台と、
マットレスずれ止め具と、
を有する寝台装置において、
前記寝台は、
回動自在な背ボトムと、
足ボトムと、
を備え、
前記マットレスずれ止め具は、前記足ボトムに設けられ、
前記寝台の長手方向の、前記マットレスの変位を規制する長手規制部と、
前記寝台の短手方向の、前記マットレスの変位を規制する短手規制部と、を備え、
前記長手規制部の前記短手方向に沿う長さは前記短手規制部の前記長手方向に沿う長さより長く、
前記寝台装置の背ボトムが背上げ状態になった時に、
前記マットレスずれ止め具が前記寝台上のマットレスの変位を規制する、
ことを特徴とする寝台装置。
【請求項２】
前記マットレスずれ止め具が、前記寝台に着脱可能に設けられる
ことを特徴とする請求項１に記載の寝台装置。
【請求項３】
前記マットレスずれ止め具の前記長手規制部および前記短手規制部が、一体に形成されていることを特徴とする請求項１又は２に記載の寝台装置。
【請求項４】
前記長手規制部に、前記寝台に取付けられる第１取付部が設けられ、
前記短手規制部に、前記寝台に取付けられる第２取付部が設けられていることを特徴とする請求項１から３のいずれか１項に記載の寝台装置。
【請求項５】
前記長手規制部に、前記寝台に取付けられる第１取付部が設けられ、
前記短手規制部に、前記寝台に取付けられる第２取付部が設けられ、
前記寝台に、前記第１取付部が嵌合する第１被嵌合部と、前記第２取付部が嵌合する第２被嵌合部と、が設けられていることを特徴とする請求項４に記載の寝台装置。
【請求項６】
前記第１取付部および前記第１被嵌合部間の嵌合方向と、前記第２取付部および前記第２被嵌合部間の嵌合方向と、が互いに異なっていることを特徴とする請求項５に記載の寝台装置。
【発明の詳細な説明】
【技術分野】
【０００１】
本発明は、寝台装置に関する。
【背景技術】
【０００２】
従来から、マットレスずれ止め具として、例えば下記特許文献１に示されるように、寝寝台上のマットレスの水平方向の変位を規制するマットレスずれ止め具が知られている。
【先行技術文献】
【特許文献】
【０００３】
【特許文献１】特開２０１４−２２３１８３号公報
【発明の概要】
【発明が解決しようとする課題】
【０００４】
しかしながら、前記従来のマットレスずれ止め具では、マットレスの、寝台に対する短手方向の変位だけを規制していたので、例えば使用者の姿勢変化や寝台の形状変化等により、マットレスが寝台に対して変位するおそれがあった。
【０００５】
本発明は、前述した事情に鑑みてなされたものであって、寝台に対するマットレスの水平方向の変位を確実に規制することができるマットレスずれ止め具を備えた寝台装置を提供することを目的とする。
【課題を解決するための手段】
【０００６】
前記課題を解決するために、本発明は以下の手段を提案している。
本発明に係る寝台装置は、寝台と、マットレスずれ止め具と、を有する寝台装置において、前記寝台は、回動自在な背ボトムと、足ボトムと、を備え、前記マットレスずれ止め具は、前記足ボトムに設けられ、前記寝台の長手方向の、前記マットレスの変位を規制する長手規制部と、前記寝台の短手方向の、前記マットレスの変位を規制する短手規制部と、を備え、前記長手規制部の前記短手方向に沿う長さは前記短手規制部の前記長手方向に沿う長さより長く、前記寝台装置の背ボトムが背上げ状態になった時に、前記マットレスずれ止め具が前記寝台上のマットレスの変位を規制することを特徴とする。
【発明の効果】
【０００７】
本発明によれば、寝台に対するマットレスの水平方向の変位を確実に規制することができる。
【図面の簡単な説明】
【０００８】
【図１】本発明の一実施形態に係る寝台装置の斜視図である。
【図２】図１に示す寝台装置の側面図である。
【図３】図１に示す寝台装置の上面図である。
【図４】図１に示す寝台装置の下面図である。
【図５】図１に示す寝台装置の分解斜視図であって、ボトムを除去した状態を示す図である。
【図６】図１に示す寝台装置において脚上げ状態を示す斜視図である。
【図７】図６に示す寝台装置の側面図である。
【図８】図６に示す寝台装置における要部の拡大斜視図である。
【図９】図１に示す寝台装置のマットレスずれ止め具の拡大図である。
【発明を実施するための形態】
【０００９】
本発明の一実施形態に係るマットレスずれ止め具１５および寝台装置１０を、図１から図９に基づいて以下に説明する。寝台装置１０は、例えば、医療環境下（介護環境下を含む）や一般家庭下において利用することができる。図１から図９において、矢印Ｈは人（使用者）が寝る際に頭側Ｈとなる向きを示し、また矢印Ｆは人が寝る際に足側Ｆとなる向きを示している。以下の説明においては、矢印Ｈ、Ｆの方向である前後方向に対して直交する水平方向を左右方向と言う場合が有る。前後方向および左右方向は、いずれも水平方向に沿う方向である。
【００１０】
図１から図９に示すように、寝台装置１０は、寝台１１と、支持架台１２と、ボード１３と、駆動機構１４と、を備えている。寝台装置１０は、電力を動力源とするいわゆる電動ベッドである。
寝台１１は、平面視した場合に左右方向よりも前後方向に長い。寝台１１の長手方向は前後方向とされ、寝台１１の短手方向は左右方向となっている。寝台１１上には、図示しないマットレスが配置される。寝台１１には、前記マットレスを介して使用者が横たわる。
【００１１】
寝台１１は、背ボトム２１と、腰ボトム２２と、脚ボトム２３と、を備えている。これらの背ボトム２１、腰ボトム２２および脚ボトム２３は、頭側Ｈから足側Ｆに向けてこの順に並んでいる。背ボトム２１は、使用者の背を支える。腰ボトム２２は、使用者の腰を支える。脚ボトム２３は、使用者の脚を支える。
脚ボトム２３は、膝ボトム２４と、足ボトム２５と、を備えている。これらの膝ボトム２４および足ボトム２５は、頭側Ｈから足側Ｆに向けてこの順に並んでいる。膝ボトム２４は、使用者の膝から腰を支える。足ボトム２５は、使用者の膝から足先を支える。
【００１２】
支持架台１２は、寝台１１を支持する。支持架台１２は、寝台１１、および寝台１１上の使用者それぞれの荷重を受け止める。図５に示すように、支持架台１２は、メインフレーム３１と、接地部３２と、を備えている。
メインフレーム３１は、寝台１１を支持する。メインフレーム３１は、平面視において矩形状をなす。メインフレーム３１は、外フレーム部３３と、内フレーム部３４と、を備えている。
【００１３】
外フレーム部３３は、メインフレーム３１の外周縁部を形成し、支持架台１２の外周縁部に配置されている。外フレーム部３３は、平面視において頭側Ｈに向けて開口するＣ字状に形成されている。外フレーム部３３は、第１フレーム部材３５と、第２フレーム部材３６と、を備えている。
第１フレーム部材３５は、左右方向に延びる。第１フレーム部材３５は、支持架台１２の足側Ｆの端部に配置されている。
【００１４】
第２フレーム部材３６は、前後方向に延びている。第２フレーム部材３６は、左右方向に間隔をあけて一対設けられている。第２フレーム部材３６は、第１フレーム部材３５の左右方向の端部から、前後方向に沿う頭側Ｈに向けて延びている。第２フレーム部材３６は、第１フレーム部材３５に移動不能に固定されている。第１フレーム部材３５と第２フレーム部材３６とは、互いに接続されることで外フレーム部３３の角部を形成している。第２フレーム部材３６は、第１フレーム部材３５に溶着（固着）されている。
【００１５】
外フレーム部３３には、幕板３７が取付られている。幕板３７は、外フレーム部３３を側方から覆っている。幕板３７は、第１幕板３８と、第２幕板３９と、角幕板４０と、を備えている。第１幕板３８は、第１フレーム部材３５を側方から覆う。第２幕板３９は、第２フレーム部材３６を側方から覆う。角幕板４０は、前記角部を覆う。
【００１６】
内フレーム部３４は、平面視において外フレーム部３３の内側に配置されている。内フレーム部３４は、横部材４１と、縦部材４２と、を備えている。横部材４１は、左右方向に延びる。横部材４１は、左右一対の第２フレーム部材３６を左右方向に連結している。横部材４１は、前後一対配置されている。横部材４１は、第２フレーム部材３６に移動不能に固定されている。横部材４１は、第２フレーム部材３６に溶着（固着）されている。
【００１７】
縦部材４２は、前後方向に延びる。縦部材４２は、前後一対の横部材４１を前後方向に連結している。縦部材４２は、左右方向に一対配置されている。縦部材４２の頭側Ｈの端部は、第２フレーム部材３６の頭側Ｈの端部と前後方向に同等の位置に配置されている。縦部材４２は、横部材４１に移動不能に固定されている。縦部材４２は、横部材４１に溶着（固着）されている。
接地部３２は、接地面に接地する。接地部３２は、左右方向に一対配置されるとともに、左右一対の接地部３２が、前後方向に一対、配置されている。接地部３２は、全部で４つ設けられている。接地部３２は、縦部材４２に連結されている。
【００１８】
図６および図７に示すように、支持架台１２は、寝台１１の一部（可動ボトム）を、左右方向に延びる回動軸２６回りに回動自在に支持している。寝台装置１０は、いわゆるギャッチベッドとなっている。本実施形態では、腰ボトム２２が支持架台１２に固定され、背ボトム２１および脚ボトム２３が腰ボトム２２に回動自在に連結されている。
【００１９】
回動軸２６は、背ボトム２１と腰ボトム２２とを連結する第１回動軸２６ａと、脚ボトム２３と腰ボトム２２とを連結する第２回動軸２６ｂと、を備えている。
なお、膝ボトム２４と足ボトム２５とは、左右方向に延びる屈曲軸２７回りに回動自在に連結されている。そのため、脚ボトム２３が第２回動軸２６ｂ回りに回動して寝台装置１０が脚上げ状態となると、屈曲軸２７が突をなすように、脚ボトム２３が屈曲する。
【００２０】
なお図６から図８に示すように、脚ボトム２３には、足ステー４３が回動自在に連結されている。足ステー４３は、脚ボトム２３を足先上げ状態で保持する。足先上げ状態の脚ボトム２３では、足ボトム２５が、水平方向に平行に延びている。足ステー４３は、前後方向に延びる長尺状に形成されている。
【００２１】
足ステー４３の第１端部４３ａおよび第２端部４３ｂはそれぞれ、足ボトム２５およびメインフレーム３１それぞれに回転自在に固定されている。足ステー４３の第１端部４３ａは、足ボトム２５に実質的に離脱不能に固定されている。足ステー４３の第２端部４３ｂは、メインフレーム３１に着脱自在に固定されている。脚ボトム２３が足先上げ状態とされたときに、足ステー４３が、足ボトム２５から頭側Ｈ斜め下方に延びる。
【００２２】
図１から図９に示すように、ボード１３は、支持架台１２における前後方向の端部に配置されている。ボード１３は、表裏面が前後方向を向く板状に形成されている。ボード１３は、支持架台１２の頭側Ｈに位置するヘッドボード１３ａを備えている。ヘッドボード１３ａは、縦部材４２の頭側Ｈの端部に固定されている。
【００２３】
図４および図５に示すように、駆動機構１４は、支持架台１２に取付られる。駆動機構１４は、複数設けられている。複数の駆動機構１４は、寝台１１の下方に配置されている。駆動機構１４は、寝台１１および支持架台１２のうちの少なくとも一部を移動させる。駆動機構１４は、前後方向に伸縮する直動アクチュエータである。
【００２４】
駆動機構１４は、背ボトム２１を回動させる第１駆動機構１４ａと、脚ボトム２３を回動させる第２駆動機構１４ｂと、を備えている。第１駆動機構１４ａの前後方向の両端部は、メインフレーム３１、および背上リンク４４にそれぞれ取り付けられている。背上リンク４４は、背ボトム２１を下方から支持している。第１駆動機構１４ａを動作させると、背上リンク４４が回動して背ボトム２１が背上げ状態になる。
第２駆動機構１４ｂの前後方向の両端部は、メインフレーム３１、および膝上リンク４５にそれぞれ取付られている。膝上リンク４５は、脚ボトム２３を下方から支持している。第２駆動機構１４ｂを動作させると、膝上リンク４５が回動して脚ボトム２３が脚上げ状態になる。
【００２５】
そして本実施形態では、図１に示すように、寝台１１には、寝台１１上に載置される図示しないマットレスの水平方向の変位を規制するマットレスずれ止め具１５が取付られている。以下では、前後方向に沿う頭側Ｈを前方といい、足側Ｆを後方ということがある。
マットレスずれ止め具１５は、寝台１１の後端部に位置する隅部に各別に取付られている。マットレスずれ止め具１５は、左右方向に沿って延び、水平方向のうち、マットレスの前後方向の変位を規制する長手規制部５１と、前後方向に沿って延び、水平方向のうち、マットレスの左右方向の変位を規制する短手規制部５２と、を備えている。
【００２６】
図９に示すように、長手規制部５１および短手規制部５２は互いに接続され、上面視においてＬ字状を呈する。すなわち、長手規制部５１および短手規制部５２間の相対位置が固定されている。図示の例では、長手規制部５１の左右方向に沿う大きさは、短手規制部５２の前後方向に沿う大きさよりも大きくなっている。
また、長手規制部５１および短手規制部５２は、合成樹脂材料により一体に形成されて
いる。長手規制部５１と短手規制部５２との接続部５３は、寝台装置１０の外側に向けて突の曲面状に形成されている。なお、長手規制部５１および短手規制部５２は、金属材料やその他の材料により一体に形成されていてもよい。
【００２７】
長手規制部５１は、左右方向に沿って延びるとともに、上下方向に沿って延び、表裏面が前後方向を向く第１側壁部５１ａと、第１側壁部５１ａの下端縁から前方に向けて延びる第１底壁部５１ｂと、を備えている。第１側壁部５１ａは、上方に向かうに従い漸次、前方に向けて延びている。第１底壁部５１ｂの後端部は、後方に向けて突の曲面状に形成されている。
【００２８】
第１底壁部５１ｂにおいて、左右方向における接続部５３側と反対側の外端部には、前方に向けて延びる第１取付片５１ｃが形成されている。以下、左右方向において、接続部５３側を外側といい、第１取付片５１ｃ側を内側という。
第１取付片５１ｃは、前方に向かうに従い漸次、下方に向けて延びている。
【００２９】
長手規制部５１には、寝台１１に設けられた第１被嵌合部１１ａに嵌合される第１取付部５１ｄが、一体に形成されることで設けられている。第１取付部５１ｄは、左右方向に沿って延びるとともに、左右方向から見てＣ字状を呈し、後方に向けて開口する凹状に形成されている。第１取付部５１ｄの上端部と、第１取付片５１ｃの前端縁と、が接続されている。
【００３０】
短手規制部５２は、前後方向に沿って延びるとともに、上下方向に沿って延び、表裏面が左右方向を向く第２側壁部５２ａと、第２側壁部５２ａの下端縁から左右方向の内側に向けて延びる第２底壁部５２ｂと、を備えている。
第２側壁部５２ａは、上方に向かうに従い漸次、左右方向の内側に向けて延びている。第２底壁部５２ｂの左右方向の外側の端部は、左右方向の外側に向けて突の曲面状に形成されている。
【００３１】
短手規制部５２には、寝台１１に設けられた第２被嵌合部１１ｂに嵌合される第２取付部５２ｄが、一体に形成されることで設けられている。第２取付部５２ｄは、第２底壁部５２ｂの下面から下方に向けて突出し、かつ前後方向に延びる凸状に形成されている。第２取付部５２ｄの下端部には、左右方向の内側に向けて突出する嵌合部５２ｅが形成されている。
嵌合部５２ｅは、第２取付部５２ｄの前後方向の両端部を除く部分にわたって配置されている。第２取付部５２ｄは、第２底壁部５２ｂにおける左右方向の内側の端部に配置されている。また、上面視において、第２取付部５２ｄは第２底壁部５２ｂにおける外周縁より内側に配置されている。
接続部５３は、第１側壁部５１ａおよび第２側壁部５２ａを互いに接続する接続壁部５３ａと、第１底壁部５１ｂおよび第２底壁部５２ｂを互いに接続する接続底壁部５３ｂと、を備えている。接続壁部５３ａと、接続底壁部５３ｂのうち、寝台装置１０の外側に位置する部分と、はそれぞれ、寝台装置１０の外側に向けて突の曲面状に形成されている。接続壁部５３ａおよび接続底壁部５３ｂにより、長手規制部５１および短手規制部５２間の相対位置が固定されている。
【００３２】
ここで、寝台１１の足ボトム２５には、足ボトム２５を上下方向に貫く通気孔１１ｃが左右方向に沿って複数形成されている。第１被嵌合部１１ａは、通気孔１１ｃの内周面に形成されている。図示の例では、第１被嵌合部１１ａは、通気孔１１ｃの内周面における下端に形成されている。通気孔１１ｃの内周面は、通気孔１１ｃの内径が下方から上方に向かうに従い漸次、大きくなるように傾斜している。第１被嵌合部１１ａは、前方に向けて突出する凸状に形成され、左右方向に沿って延びている。
第１被嵌合部１１ａの上下方向の大きさは、第１取付部５１ｄにおける上下方向の開口幅よりも小さくなっている。
【００３３】
第２被嵌合部１１ｂは、寝台１１の足ボトム２５の左右方向の両端部に各別に配設された合成樹脂製のボトムエッジ２５ｂに形成されている。第２被嵌合部１１ｂは、ボトムエッジ２５ｂの上面に、上方に向けて開口する凹状に形成され、前後方向に沿って延びる長穴である。
そして本実施形態では、第１取付部５１ｄ内に第１被嵌合部１１ａが嵌合され、第２被嵌合部１１ｂ内に第２取付部５２ｄが嵌合されていて、第１取付部５１ｄおよび第１被嵌合部１１ａ間の嵌合方向と、第２取付部５２ｄおよび第２被嵌合部１１ｂ間の嵌合方向と、が互いに異なっている。なお、このような態様に限られず、第１取付部５１ｄが一方向に向けて開口する凹状に形成されてもよいし、第２取付部５２ｄが一方向に向けて突出する凸状に形成されてもよい。
【００３４】
なお、本実施形態では、背ボトム２１、腰ボトム２２、および脚ボトム２３はそれぞれ、左右方向の中央に位置する本体部と、本体部の左右方向の端部に位置するボトムエッジと、を備えている。第１被嵌合部１１ａが、脚ボトム２３のうち足ボトム２５の本体部２５ａに、第２被嵌合部１１ｂが、足ボトム２５のボトムエッジ２５ｂに、それぞれ形成されている。
【００３５】
次に、マットレスずれ止め具１５を寝台１１に取付る際の手順について説明する。
まず、図９に示すように、寝台１１の後端部の隅部における上方にマットレスずれ止め具１５を配置する。次に、短手規制部５２の第２取付部５２ｄが、第２被嵌合部１１ｂ内に挿入されるように、マットレスずれ止め具１５を下方に向けて移動させる。
【００３６】
この際、第１取付部５１ｄが通気孔１１ｃ内に挿入されるように、長手規制部５１を、接続部５３を中心に前方に向けて回動させて弾性変形させた状態で、マットレスずれ止め具１５を下方に向けて移動させる。
そして、第２底壁部５２ｂがボトムエッジ２５ｂと当接し、かつ長手規制部５１を後方に向けて復元変形させ、第１取付部５１ｄの開口部内に第１被嵌合部１１ａを嵌合させる。
【００３７】
以上説明したように、本実施形態に係るマットレスずれ止め具１５によれば、長手規制部５１および短手規制部５２間の相対位置が固定されている。このため、前後方向および左右方向のうちのいずれか一方に沿うマットレスからの外力を、長手規制部５１および短手規制部５２のうちのいずれか一方のみで受け止めるのではなく、他方にも受け止めさせることが可能になり、マットレスから伝わる外力が大きい場合であっても、その外力をマットレスずれ止め具１５により確実に受け止めることができる。これにより、寝台１１に対するマットレスの水平方向の変位を確実に規制することができる。
【００３８】
また、長手規制部５１および短手規制部５２間の相対位置が固定されている。したがって、例えばこのマットレスずれ止め具１５を、寝台１１におけるマットレス載置部の隅部に取付ることで、１つのマットレスずれ止め具１５により、寝台１１に対するマットレスの前後方向および左右方向の双方向における変位を効果的に規制することができ、部品点数を削減することができる。
また、長手規制部５１および短手規制部５２は、一体に形成されている。したがって、長手規制部５１および短手規制部５２を互いに接続する部材を設ける必要が無く、マットレスずれ止め具１５を簡易な構成で強固に形成することができる。
【００３９】
また、長手規制部５１および短手規制部５２の双方が第１取付部５１ｄおよび第２取付
部５２ｄにより寝台１１に取付けられるので、一方だけが寝台１１に取付けられる構成と比べて、マットレスずれ止め具１５を寝台１１に強固に取付けることができる。
また、第１取付部５１ｄおよび第２取付部５２ｄが、それぞれ嵌合する第１被嵌合部１１ａおよび第２被嵌合部１１ｂが寝台１１に設けられているので、マットレスずれ止め具１５の寝台１１への装着を容易に行うことができる。
【００４０】
また、第１取付部５１ｄが、第１被嵌合部１１ａに嵌合する方向と、第２取付部５２ｄが、第２被嵌合部１１ｂに嵌合する方向と、が互いに異なっている。このため、第１取付部５１ｄが第１被嵌合部１１ａから取り外される向きと、第２取付部５２ｄが第２被嵌合部１１ｂから取り外される向きと、が互いに異なることとなる。したがって、仮にマットレスずれ止め具１５に不意に外力が加えられても、第１取付部５１ｄと第１被嵌合部１１ａとの係合、並びに第２取付部５２ｄと第２被嵌合部１１ｂとの係合が同時に解除されるのを抑制することができる。
【００４１】
また、本実施形態に係る寝台装置１０によれば、マットレスずれ止め具１５を備えているので、寝台装置１０において、前述の各作用効果を奏功させることができる。
【００４２】
なお、本発明の技術的範囲は前記実施形態に限定されるものではなく、本発明の趣旨を逸脱しない範囲において種々の変更を加えることが可能である。
例えば、上記実施形態においては、長手規制部５１および短手規制部５２が、一体に形成されている構成を示したが、このような態様に限られない。長手規制部および短手規制部はそれぞれ別体に形成され、これらを互いに接続する接続部材により接続されていてもよい。
【００４３】
また、上記実施形態においては、長手規制部５１に、寝台１１に取付けられる第１取付部５１ｄが設けられ、短手規制部５２に、寝台１１に取付けられる第２取付部５２ｄが設けられた構成を示したが、このような態様に限られない。第１取付部および第２取付部のうち、いずれか一方のみが設けられてもよい。
【００４４】
また、上記実施形態においては、第１取付部５１ｄおよび第２取付部５２ｄが、第１被嵌合部１１ａおよび第２取付部５２ｄに嵌合する構成を示したが、このような態様に限られない。第１取付部および第２取付部は、第１被嵌合部および第２取付部に嵌合することなく、寝台の一部に係止されてもよい。
【００４５】
また、上記実施形態においては、第１取付部５１ｄおよび第１被嵌合部１１ａ間の嵌合方向と、第２取付部５２ｄおよび第２被嵌合部１１ｂ間の嵌合方向と、が互いに異なっている構成を示したが、このような態様に限られない。第１取付部および第１被嵌合部間の嵌合方向と、第２取付部および第２被嵌合部間の嵌合方向とが同じ方向であってもよい。
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００４６】
１０    寝台装置
１１    寝台
１１ａ    第１被嵌合部
１１ｂ    第２被嵌合部
１５    マットレスずれ止め具
５１    長手規制部
５１ｄ    第１取付部
５２    短手規制部
５２ｄ    第２取付部
【図１】
2020022862.tif 000003
【図２】
2020022862.tif 000004
【図３】
2020022862.tif 000005
【図４】
2020022862.tif 000006
【図５】
2020022862.tif 000007
【図６】
2020022862.tif 000008
【図７】
2020022862.tif 000009
【図８】
2020022862.tif 000010
【図９】
2020022862.tif 000011